(57)【要約】【課題】装置の大型化を抑制すると共に簡単な構成で冷凍機から排出された熱を処理することのできる空気調和システムを提供する。【解決手段】冷凍機２０から排出された熱を処理する空気を供給する冷凍機用空調機４０と、冷凍機用空調機４０から供給する空気の温度を制御するための供給空気温度制御部としてのコントローラ５０と、を備えている。これにより、冷蔵オープンショーケース１０の冷凍機２０から排出された熱を店舗１外に排出するための装置を必要とすることなく、簡単な構成で処理することが可能となる。【選択図】図２
2020098084.tif 000002
【特許請求の範囲】
【請求項１】
冷凍機を内蔵したショーケースが設置される店舗用の空気調和システムであって、
前記冷凍機から排出された熱を処理する空気を供給する冷凍機用空調機と、
前記冷凍機用空調機から供給する空気の温度を制御する供給空気温度制御部と、を備えた
空気調和システム。
【請求項２】
前記供給空気温度制御部は、前記冷凍機から排出された熱によって加熱されて店舗内に流入する空気の温度が所定の温度となるように、前記冷凍機用空調機から供給する空気の温度を制御する
請求項１に記載の空気調和システム。
【請求項３】
前記供給空気温度制御部は、前記冷凍機用空調機から供給する空気の温度を所定の温度となるように制御する
請求項１に記載の空気調和システム。
【請求項４】
前記所定の温度は、店舗内の設定温度である
請求項２または３に記載の空気調和システム。
【請求項５】
前記冷凍機は、前記ショーケースの上部に設けられ、
前記冷凍機の側面には、前記冷凍機から排出された熱を処理する空気を流入させる流入口が設けられ、
前記冷凍機の上面には、前記冷凍機から排出された熱を含む空気を流出させる流出口が設けられ、
店舗内の天井面には、前記冷凍機用空調機から店舗内に供給する空気を流入口に向けて吹き出す吹出口が設けられている
請求項１乃至４のいずれかに記載の空気調和システム。
【請求項６】
前記流入口の外側において上方に延びるように設けられ、前記吹出口から吹き出された空気を前記流入口に案内するガイド板を備えた
請求項５に記載の空気調和システム。
【請求項７】
前記冷凍機は、前記ショーケースの上部に設けられ、
前記冷凍機には、前記冷凍機から排出された熱を処理する空気を流入させる流入口と、前記冷凍機から排出された熱によって加熱された空気を上方に向けて流出させる流出口と、が設けられ、
前記流入口には、前記冷凍機用空調機から前記冷凍機に供給する空気が流通するダクトが接続されている
請求項１乃至４のいずれかに記載の空気調和システム。
【請求項８】
並べて配置した３以上の前記ショーケースにおける幅方向中央部側に位置する前記冷凍機の前記流出口から流出した空気の流通方向を幅方向外側に変更する流通方向変更板を備えた
請求項５乃至７のいずれかに記載の空気調和システム。
【請求項９】
前記冷凍機は、前記流入口から空気を流入させるとともに、前記流出口から空気を流出させる送風機を有し、
並べて配置した複数の前記ショーケースにおけるそれぞれの前記冷凍機における前記送風機の送風量を調整することで、複数の前記ショーケースの幅方向にわたる上方の空気の温度を制御する
請求項５乃至７のいずれかに記載の空気調和システム。
【請求項１０】
前記冷凍機からの熱負荷を除く店舗内の熱負荷に対応する主空調機を備えた
請求項１乃至９のいずれかに記載の空気調和システム。
【発明の詳細な説明】
【技術分野】
【０００１】
本発明は、冷凍機を内蔵したショーケースが設置された店舗用の空気調和システムに関するものである。
【背景技術】
【０００２】
例えばコンビニエンスストア等の店舗では、圧縮機及び凝縮器を含む冷凍機を内蔵したショーケースが設置される場合がある。ショーケースに内蔵された冷凍機から排出された熱は、冬期等、店舗内の暖房を行っている状態で、暖房負荷を低減する方向に作用するが、夏期等、店舗内の冷房を行っている状態で、冷房負荷を増大させる方向に作用する。
【０００３】
従来の店舗では、冷凍機から排出された熱による冷房負荷の増大を抑制するために、冷凍機から排出された熱を放出させる空気を店舗外から供給し、冷凍機から排出された熱によって加熱された空気を店舗内または店舗外に排出する排熱処理装置を備えたものが知られている（例えば、特許文献１参照）。
【先行技術文献】
【特許文献】
【０００４】
【特許文献１】特開２０１６−００８８１１号公報
【発明の概要】
【発明が解決しようとする課題】
【０００５】
前記排熱処理装置を備えた店舗では、店舗外の空気を冷凍機に供給するための給気流路と、冷凍機から排出された空気を店舗外に排出するための排気流路と、を天井内に設置する必要があり、特に冷凍機の台数が多い場合には、設備が複雑化するとともに大型化することになる。また、前記排熱処理装置を備えた店舗では、夏期等において高温となる店舗外の空気を冷凍機に供給することになるため、凝縮器における冷媒との熱交換面積を大きくする必要がある。また、冬期等において低温の店舗外の空気を冷凍機に供給する場合に、冷凍機から排出される空気は、店舗内の温度よりも低温となるため、必要換気量以上の空気を店舗外から店舗内に供給すると、暖房負荷が大きくなる。
【０００６】
本発明の目的とするところは、装置の大型化を抑制すると共に簡単な構成で冷凍機から排出された熱を処理することのできる空気調和システムを提供することにある。
【課題を解決するための手段】
【０００７】
本発明の空気調和システムは、前記目的を達成するために、冷凍機を内蔵したショーケースが設置される店舗用の空気調和システムであって、前記冷凍機から排出された熱を処理する空気を供給する冷凍機用空調機と、前記冷凍機用空調機から供給する空気の温度を制御する供給空気温度制御部と、を備えている。
【発明の効果】
【０００８】
本発明によれば、ショーケースの冷凍機から排出された熱を店舗内または店舗外に排出するための装置を必要とすることなく、簡単な構成で処理することが可能となる。これにより、装置の大型化を抑制することができる。
【図面の簡単な説明】
【０００９】
【図１】本発明の第１実施形態を示す空気調和システムの概略構成図である。
【図２】空気調和システムの要部概略構成図である。
【図３】オープンショーケースの正面図である。
【図４】制御系を示すブロック図である。
【図５】本発明の第２実施形態を示す空気調和システムの要部概略構成図である。
【図６】本発明の第３実施形態を示す空気調和システムの制御系を示すブロック図である。
【発明を実施するための形態】
【００１０】
図１乃至図４は、本発明の第１実施形態を示すものである。
【００１１】
本発明の空気調和システムは、図１に示すように、コンビニエンスストア等の店舗１内の温度及び湿度を調整するためのものである。
【００１２】
店舗１は、建築物の内部に形成された略直方体形状の空間に構成され、空間の短手方向一端側の側壁における長手方向一端側に出入口１ａが設けられている。
【００１３】
店舗１内には、店舗１内の短手方向に互いに間隔をおいて並べられ、それぞれ長手方向に延びる複数の商品棚２と、店舗１内の長手方向の一端側に設けられたカウンター３と、店舗１内の長手方向他端側に設けられた倉庫４と、倉庫４内に設けられたウォークイン冷蔵庫５と、店舗１内の短手方向他端側に位置する商品棚２に隣接して並ぶように設けられた冷凍オープンショーケース６と、店舗１内の短手方向の他端側の壁面に沿って設けられたリーチイン冷凍庫７及び複数の冷蔵オープンショーケース１０と、が設置されている。
【００１４】
ウォークイン冷蔵庫５は、店舗１内の通路側の面に設けられた商品取出用開口と、庫内の商品陳列棚に商品を補充する作業者が出入りするために倉庫４内側に設けられた商品補充用開口と、を有する箱状に形成されている。ウォークイン冷蔵庫５は、商品取出用開口が、ガラス板等の透明な部材によって内部の商品陳列棚に陳列された商品を視認可能な商品取出扉によって開閉され、商品補充用開口が、補充開口開閉扉によって開閉される。
【００１５】
冷凍オープンショーケース６は、上面が開口された平型のオープンショーケースであり、内側に氷菓子等の商品を収納するための商品収納部が形成されている。冷凍オープンショーケース６は、上面の開口部分にエアカーテンが形成される。
【００１６】
リーチイン冷凍庫７は、前面が開口され、内部に冷凍食品等の商品が収納される商品収納部が形成された冷凍庫である。リーチイン冷凍庫７は、前面の開口がガラス板等の透明な部材によって内部を視認可能な商品取出扉によって開閉される。
【００１７】
複数の冷蔵オープンショーケース１０は、それぞれ、前面が開口された多段オープンショーケースである。冷蔵オープンショーケース１０は、図２に示すように、開口の内側に商品を収納するための商品収納部１１が形成され、商品収納部１１内の上下方向に複数の商品陳列棚１１ａが設けられている。冷蔵オープンショーケース１０は、商品収納部１１の下面側、背面側、上面側に沿って形成された通風路１２を有している。通風路１２内には、商品収納部１１の下面側、背面側、上面側の順に空気を流通させるための第１送風機１２ａが設けられている。商品収納部１１の上面側に位置する通風路１２の前端側には、下方に臨む空気吐出口１２ｂが形成されている。また、商品収納部１１の下面側に位置する通風路１２の前端側には、上方に臨む空気吸入口１２ｃが形成されている。商品収納部１１の前面開口には、通風路１２を流通する空気が、空気吐出口１２ｂから吐出されて空気吸入口１２ｃから吸入されることによって、エアカーテンが形成される。また、冷蔵オープンショーケース１０の背面側の上部に位置する通風路１２には、冷媒を蒸発させて通風路１２を流通する空気を冷却するための蒸発器１２ｄと、蒸発器１２ｄにおいて冷媒と熱交換する空気を流通させるための第２送風機１２ｅと、が設けられている。
【００１８】
また、複数の冷蔵オープンショーケース１０は、それぞれ、蒸発器１２ｄとの間で冷媒を循環させて冷凍サイクルを構成する冷凍機２０が内蔵された冷凍機内蔵型のショーケースである。
【００１９】
冷凍機２０は、冷媒を圧縮して吐出する図示しない圧縮機と、圧縮機から吐出された冷媒を凝縮させるための凝縮器２１と、凝縮器２１において凝縮した冷媒を膨張させるための図示しない膨張弁と、凝縮器２１において冷媒と熱交換する空気を流通させるための凝縮器用送風機２２と、を有している。冷凍機２０を構成する凝縮器２１及び凝縮器用送風機２２等の機器は、ケーシング２３に収容されている。ケーシング２３は、冷蔵オープンショーケース１０の上部の前面側に配置されている。
【００２０】
ケーシング２３の前面には、ケーシング２３内に空気を流入させるための流入口２３ａが設けられている。また、ケーシング２３の上面には、ケーシング２３内を流通した空気を流出させるための流出口２３ｂが設けられている。
【００２１】
また、ケーシング２３内おける凝縮器２１の空気流通方向下流側には、蒸発器１２ｄによって空気を冷却する際に生じる結露水や蒸発器に付着した霜を取り除く際に生じる除霜水等のドレン水を蒸発させるためのドレン水蒸発処理機構２４が設けられている。
【００２２】
ドレン水蒸発処理機構２４は、ドレン水を貯留するためのドレンパン２４ａと、ドレンパン２４ａに貯留されたドレン水の蒸発を促進するための不織布からなる蒸発促進部材２４ｂと、を有している。冷蔵オープンショーケース１０の上部において、蒸発器１２ｄとドレンパン２４ａとの間には、蒸発器１２ｄからドレンパン２４ａに向かって下り傾斜となる図示しないドレン水流路が形成されている。蒸発器１２ｄにおいて生じたドレン水は、ドレン水流路を流通してドレンパン２４ａに貯留される。ドレン水蒸発処理機構２４は、ドレンパン２４ａに貯留されたドレン水を吸収した蒸発促進部材２４ｂにケーシング２３内を流通する空気を接触させることによってドレン水を蒸発させる。
【００２３】
冷蔵オープンショーケース１０の上部の前面側には、後述する冷凍機用空調機から供給された空気を流入口２３ａに向かって案内するためのガイド板２３ｃが設けられている。ガイド板２３ｃは、流入口２３ａの外側において、流入口２３ａの幅方向に延びるとともに上方に向かって延びている。
【００２４】
複数の冷蔵オープンショーケース１０は、図３に示すように、店舗１内の壁面に沿って互いに幅方向に隣り合うように並べられている。幅方向に並べられた複数の冷蔵オープンショーケース１０のうち、幅方向中央部側に位置する冷蔵オープンショーケース１０の冷凍機２０の流出口２３ｂには、流出口２３ｂから流出した空気の流通方向を変更する流通方向変更板２３ｄが設けられている。流通方向変更板２３ｄは、流出口２３ｂの縁部から幅方向の斜め上方に延びる部材である。流通方向変更板２３ｄは、幅方向に並べられた複数の冷蔵オープンショーケース１０における、幅方向中央部側に位置する冷蔵オープンショーケース１０の冷凍機２０から流出する空気を、幅方向外側に向くように流通方向を変更する。
【００２５】
店舗１の天井内には、図１に示すように、店舗１内の空気の温度及び湿度を調整するための複数の主空調機３０と、冷蔵オープンショーケース１０の冷凍機２０から排出された熱を処理するための複数の冷凍機用空調機４０と、が設置されている。
【００２６】
複数の主空調機３０及び複数の冷凍機用空調機４０は、室外ユニットと室内ユニットとの間に冷凍サイクルが構成される空気調和装置の室内ユニットに相当するものである。複数の主空調機３０及び複数の冷凍機用空調機４０は、それぞれ、店舗１内に供給する空気と冷媒とを熱交換するための図示しない室内熱交換器を有している。
【００２７】
複数の主空調機３０は、店舗１内の出入口１ａ側において互いに店舗１の長手方向に間隔をおいて配置されている。複数の主空調機３０は、互いに連動して、冷房運転モード、暖房運転モード及び除湿運転モード等の運転モードが切り替えられる。各主空調機３０は、下方に位置する天井面Ｃに取り付けられる正方形のパネル３１を有する、所謂、４方向天井カセット型の空調機である。各主空調機３０は、パネル３１の中央部に設けられた空気吸入部から店舗１内の空気を吸入し、パネル３１の外周部の各辺に沿って設けられた空気吹出口から店舗内に空気を吹き出す。
【００２８】
複数の冷凍機用空調機４０は、店舗１内の複数の冷蔵オープンショーケース１０側において互いに店舗１内の長手方向に間隔をおいて配置されている。複数の冷凍機用空調機４０は、店舗１内の空気を吸入して冷却し、冷却した空気を店舗１内に供給する。各冷凍機用空調機４０は、所謂、ビルトイン型の空調機である。各冷凍機用空調機４０は、図２に示すように、天井内に位置する図示しない空気吸入口と天井面Ｃに取り付けられる矩形状の空気吸入パネル４１とがダクト４３を介して接続され、天井内に位置する図示しない空気吐出口と天井面Ｃに取り付けられる複数の吹出口４２とがダクト４４を介して接続されている。ここで、空気吸入パネル４１は、店舗１の天井面Ｃにおいて冷凍オープンショーケース６の上方を避けた位置に配置される。
【００２９】
複数の吹出口４２は、それぞれ、所謂、ライン型やユニバーサル型の吹出口である。複数の吹出口４２は、図１に示すように、それぞれ、複数の冷蔵オープンショーケース１０の上方において、冷蔵オープンショーケース１０の前面に沿って互いに所定の間隔をおいて配置されている。複数の吹出口４２は、天井面Ｃから店舗１内に空気を吹き出す際に空気の吹き出し方向を調整するための図示しない吹出方向調整機構を有している。複数の吹出口４２は、図２に示すように、それぞれの空気の吹き出し方向が、下方の近傍に位置する冷蔵オープンショーケース１０の冷凍機２０の流入口２３ａに向けられている。
【００３０】
また、本発明の空気調和システムは、店舗１内の温度を設定された温度とするために、主空調機３０及び冷凍機用空調機４０の動作を制御するためのコントローラ５０を備えている。
【００３１】
コントローラ５０は、ＣＰＵ、ＲＯＭ，ＲＡＭを有している。コントローラ５０は、入力側に接続された装置からの入力信号を受信すると、ＣＰＵが、入力信号に基づいてＲＯＭに記憶されたプログラムを読み出すとともに、入力信号によって検出された状態をＲＡＭに記憶したり、出力側に接続された装置に出力信号を送信したりする。
【００３２】
コントローラ５０の入力側には、図４に示すように、店舗１内の目標温度等の設定を入力するための設定入力部５１と、店舗１内の温度を検出するための店内温度センサ５２と、店舗１内における冷蔵オープンショーケース１０の冷凍機２０の上方の温度を検出するための冷凍機排気温度センサ５３と、が接続されている。コントローラ５０の出力側には、主空調機３０及び冷凍機用空調機４０が接続されている。
【００３３】
以上のように構成された空気調和システムにおいて、主空調機３０は、店舗１内の空気を吸入して室内熱交換器によって加熱または冷却して店舗１内に吹き出す。その際、コントローラ５０は、店舗１内の温度を設定入力部５１において設定された設定温度Ｔｓとするために、店内温度センサ５２の検出温度に基づいて、主空調機３０から店舗１内に吹き出す空気の温度を制御する。
【００３４】
また、冷凍機用空調機４０は、店舗１内の空気を空気吸入パネル４１から吸入して室内熱交換器によって冷却し、吹出口４２から冷凍機２０の流入口２３ａに向かって冷却した空気を吹き出す排熱処理運転を行う。
【００３５】
さらに、冷凍機２０は、冷凍機用空調機４０から店舗１内に吹き出された空気を、凝縮器用送風機２２の駆動によって流入口２３ａからケーシング２３内に流入させる。その際、冷凍機用空調機４０から店舗１内に吹き出された空気は、ガイド板２３ｃによって流入口２３ａに向かって案内されるため、冷蔵オープンショーケース１０の商品収納部１１の前面側への流通が規制される。ケーシング２３内に流入した空気は、凝縮器２１において冷媒と熱交換することによって加熱されて、ケーシング２３内を流通して流出口２３ｂから店舗１内に流出する。
【００３６】
このとき、コントローラ５０は、冷凍機２０の流出口２３ｂから流出する空気の温度を、店舗１内の設定温度Ｔｓとするために、冷凍機排気温度センサ５３の検出温度に基づいて、冷凍機用空調機４０から冷凍機２０に向けて吹き出す空気の温度を制御する。
【００３７】
また、複数の冷蔵オープンショーケース１０が幅方向に並ぶ状態では、幅方向の中央部側の冷凍機２０の上方の温度が高くなる傾向を有する。しかし、幅方向中央部側の冷凍機２０の流出口２３ｂから流出する空気は、流通方向変更板２３ｄによって幅方向の外側に流れが変えられることから、幅方向中央部側における加熱された空気の滞留が抑制される。
【００３８】
このように、本実施形態の空気調和システムによれば、冷凍機２０から排出された熱を処理する空気を供給する冷凍機用空調機４０と、冷凍機用空調機４０から供給する空気の温度を制御するための供給空気温度制御部としてのコントローラ５０と、を備えている。
【００３９】
これにより、冷蔵オープンショーケース１０の冷凍機２０から排出された熱を店舗１外に排出するための装置を必要とすることなく、簡単な構成で処理することが可能となる。よって、装置の大型化を抑制することができる。
【００４０】
また、コントローラ５０は、冷凍機２０から排出された熱によって加熱されて店舗１内に流入する空気の温度が店舗１内の設定温度Ｔｓとなるように、冷凍機用空調機４０から冷凍機２０に供給する空気の温度を制御する。
【００４１】
これにより、冷凍機用空調機４０から冷凍機２０に供給する空気の温度を店舗１内の設定温度Ｔｓよりも低温とすることによって、冷凍機２０を構成する圧縮機の圧縮比の低減を図り、圧縮機の駆動に係る消費電力の低減を図ることが可能となる。
【００４２】
また、冷凍機２０は、冷蔵オープンショーケース１０の上部に設けられ、冷凍機２０の側面には、冷凍機２０から排出された熱を放出させる空気を流入させる流入口２３ａが設けられ、冷凍機２０の上面には、冷凍機２０からの熱が放出された空気を流出させる流出口２３ｂが設けられ、店舗１内の天井面Ｃには、冷凍機用空調機４０から店舗１内に供給する空気を流入口２３ａに向けて吹き出す吹出口４２が設けられている。
【００４３】
これにより、冷凍機用空調機４０と冷凍機２０とを直に接続することなく、冷凍機用空調機４０から吐出される空気を冷凍機２０に供給することが可能となるので、出店の際における施工費用の低減を図ることが可能となる。
【００４４】
また、流入口２３ａの前方の外側において上方に延びるように設けられ、吹出口４２から吹き出される空気を流入口２３ａに案内するガイド板２３ｃを備えている。
【００４５】
これにより、吹出口４２から吹き出された空気がガイド板２３ｃによって流入口２３ａに向けて案内されることになり、冷蔵オープンショーケース１０の前面側への流通を規制することが可能となる。
【００４６】
また、並べて配置した３以上の冷蔵オープンショーケース１０における幅方向中央部側に位置する冷凍機２０の流出口２３ｂから流出した空気の流通方向を幅方向外側に変更する流通方向変更板２３ｄを備えている。
【００４７】
これにより、幅方向中央部側の冷凍機２０の流出口２３ｂから流出する空気が、流通方向変更板２３ｄによって幅方向の外側に向かって流通させることが可能となり、幅方向中央部側における加熱された空気の滞留を抑制することが可能となる。
【００４８】
また、冷凍機２０からの熱負荷を除く店舗１内の熱負荷に対応する主空調機３０を備えている。
【００４９】
これにより、店舗１内の温度及び湿度の調整を主空調機３０によって行うとともに、冷蔵オープンショーケース１０の冷凍機２０から排出される熱の処理を冷凍機用空調機４０によって行うことによって、店舗１内における冷房能力の不足が生じることなく、確実に店舗１内を設定温度Ｔｓとすることが可能となる。
【００５０】
図５は、本発明の第２実施形態を示すものである。尚、前記実施形態と同様の構成部分には同一の符号を付して示す。
【００５１】
本実施形態の空気調和システムは、凝縮器２１及び凝縮器用送風機２２が収容されるケーシング２３が、冷蔵オープンショーケース１０の上部の背面側に設けられている。流入口２３ａは、ケーシング２３の上面に設けられている。また、流出口２３ｂは、ケーシング２３の上面における流入口２３ａの前方に設けられている。流入口２３ａには、冷凍機用空調機４０から吐出される空気を流通させるためのダクト４４の端部が直に接続されている。ダクト４４は、天井面Ｃの下側において店舗１の壁面に沿って下方に延びて端部が流入口２３ａに接続されている。
【００５２】
以上のように構成された空気調和システムでは、冷凍機用空調機４０から吐出された空気が、ダクト４４を介して直にケーシング２３内に流入する。ケーシング２３内に吸入された空気は、凝縮器２１において冷媒と熱交換することによって加熱されて、ケーシング２３内を流通して流出口２３ｂから流出する。
【００５３】
このように、本実施形態の空気調和システムによれば、前記実施形態と同様に、冷蔵オープンショーケース１０の冷凍機２０から排出された熱を店舗１外に排出するための装置を必要とすることなく、簡単な構成で処理することが可能となる。よって、装置の大型化を抑制することができる。
【００５４】
また、冷凍機２０は、冷蔵オープンショーケース１０の上部に設けられ、冷凍機２０には、冷凍機２０から排出された熱を放出させる空気を吸入する流入口２３ａと、冷凍機２０から排出された熱によって加熱された空気を上方に向けて流出させる流出口２３ｂと、が設けられ、流入口２３ａには、冷凍機用空調機４０から冷凍機に供給する空気が流通するダクト４４が接続されている。
【００５５】
これにより、冷凍機用空調機４０から供給する空気を、冷凍機２０のケーシング２３内に確実に流入させることが可能となるので、冷凍機２０から排出された熱の処理をより効率的に行うことが可能となる。
【００５６】
図６は、本発明の第３実施形態を示すものである。尚、前記実施形態と同様の構成部分には同一の符号を付して示す。
【００５７】
本実施形態の空気調和システムは、第１実施形態における流通方向変更板２３ｄを有しておらず、コントローラ５０の入力側に、図６に示すように、並べて配置した複数の冷蔵オープンショーケース１０の冷凍機２０の上方における幅方向に複数個所（ｎ箇所）の温度を検出するための第１乃至第ｍ冷凍機排気温度センサ５３−１、５３−２、…、５３−ｍ（以降、５３−１〜ｍと記載する）が接続されている。また、コントローラ５０の出力側には、複数の冷蔵オープンショーケース１０のそれぞれに対応する冷凍機２０の凝縮器用送風機２２−１、２２−２、…、２２−ｎ（以降、２２−１〜ｎと記載する）が接続されている。
【００５８】
以上のように構成された空気調和システムでは、第１乃至第ｍ冷凍機排気温度センサ５３−１〜ｍの検出温度に基づいて、それぞれの冷凍機２０の凝縮器用送風機２２の回転数を調整して流出口２３ｂからの風量を調整する。例えば、並べて配置された冷蔵オープンショーケース１０の幅方向中央部側の上方の温度が幅方向両側よりも高い場合に、幅方向中央部側に位置する冷凍機２０の凝縮器用送風機２２の送風量を幅方向両側の凝縮器用送風機２２の送風量よりも大きくする。これにより、並べて配置された複数の冷蔵オープンショーケース１０の上方の温度を、幅方向にわたって均一の温度とする。
【００５９】
このように、本実施形態の空気調和システムによれば、前記実施形態と同様に、冷蔵オープンショーケース１０の冷凍機２０から排出された熱を店舗１外に排出するための装置を必要とすることなく、簡単な構成で処理することが可能となる。よって、装置の大型化を抑制することができる。
【００６０】
また、並べて配置した複数の冷蔵オープンショーケース１０におけるそれぞれの冷凍機２０における凝縮器用送風機２２−１〜９の送風量を調整することで、複数の冷蔵オープンショーケース１０の幅方向にわたる上方の空気の温度を制御する。
【００６１】
これにより、並べて配置された複数の冷蔵オープンショーケース１０における幅方向中央部側の冷凍機２０の流出口２３ｂから流出する空気が、複数の凝縮器用送風機２２のそれぞれの風量の調整によって幅方向に流通させることが可能となり、幅方向中央部側における加熱された空気の滞留を抑制することが可能となる。
【００６２】
尚、前記実施形態では、冷凍機２０のケーシング２３内に、凝縮器２１及び凝縮器用送風機２２を収容するようにしたものを示したが、これに限られるものではない。冷凍機２０を構成する圧縮機についても駆動によって店舗１内に熱を排出するため、ケーシング２３内に凝縮器２１及び凝縮器用送風機２２と共に圧縮機を収容し、圧縮機から排出される熱を冷凍機用空調機４０によって処理するようにしてもよい。
【００６３】
また、前記実施形態では、コントローラ５０によって、冷凍機２０から放出された熱によって加熱されて店舗１内に流入する空気の温度が店舗１内の設定温度Ｔｓとなるように、冷凍機用空調機４０から冷凍機２０に供給される空気の温度を制御するようにしたものを示したが、これに限られるものではない。コントローラ５０によって、冷凍機２０から放出された熱によって加熱されて店舗１内に流入する空気の温度が店舗１内の設定温度Ｔｓよりも所定温度高い温度（Ｔｓ＋Ａ）となるように、冷凍機用空調機４０から冷凍機２０に供給される空気の温度を制御するようにしてもよい。この場合には、冬期等の主空調機３０が暖房運転を行っている状態で、冷凍機２０から放出された熱を店舗内の暖房として利用することができる。
【００６４】
また、前記実施形態では、コントローラ５０によって、冷凍機２０から放出された熱によって加熱されて店舗１内に流入する空気の温度が店舗１内の設定温度Ｔｓとなるように、冷凍機用空調機４０から冷凍機２０に供給される空気の温度を制御するようにしたものを示したが、これに限られるものではない。例えば、コントローラ５０によって、冷凍機用空調機４０から冷凍機２０に供給する空気の温度を、店舗１内の設定温度Ｔｓとなるように制御するようにしてもよい。この場合には、冷凍機２０から排出された熱が、冷蔵オープンショーケース１０と比較して成績係数の高い冷凍機用空調機４０によって処理されることになるため、冷凍機２０から排出された熱を効率的に処理することが可能となる。また、冬期等の主空調機３０が暖房運転を行う場合には、冷凍機用空調機４０が停止または送風のみを行う状態になるため、冷凍機２０から放出された熱を店舗内の暖房として利用することができる。また、コントローラ５０によって、冷凍機用空調機４０から冷凍機２０に供給する空気の温度を、店舗１内の設定温度Ｔｓよりも所定温度低い温度（Ｔｓ−Ｂ）となるように制御するようにしてもよい。
【００６５】
また、前記実施形態では、主空調機３０として４方向天井カセット型の空調機を用いるとともに、冷凍機用空調機４０としてビルトイン型の空調機を用いたものを示したが、これに限られるものではない。主空調機３０及び冷凍機用空調機４０としては、それぞれ４方向天井カセット型の空調機を用いてもよいし、ビルトイン型の空調機を用いてもよい。
【００６６】
また、前記実施形態では、主空調機３０及び冷凍機用空調機４０として、室外ユニットと室内ユニットとの間に冷凍サイクルが構成される空気調和装置の室内ユニットを用いたものを示したが、これに限られるものではない。主空調機３０及び冷凍機用空調機４０としては、例えば冷温水発生機によって生成された冷水または温水と店舗１内に供給する空気とを熱交換するエアハンドリングユニットやファンコイルユニットを用いてもよい。
【００６７】
また、前記実施形態では、複数の主空調機３０及び複数の冷凍機用空調機４０によって店舗１内の温度を調整するとともに、冷凍機２０から排出された熱の処理を行うようにしたものを示したが、これに限られるものではない。主空調機３０及び冷凍機用空調機４０は、それぞれ１台の空調機から構成してもよい。
【００６８】
また、前記実施形態では、冷凍機用空調機４０と共に主空調機３０をコントローラ５０に接続し、コントローラ５０によって主空調機３０を制御するものを示したが、これに限られるものではない。主空調機３０は、冷凍機用空調機４０を制御するコントローラ５０とは異なる専用のコントローラによって制御してもよい。
【００６９】
また、前記第１実施形態では、幅方向に並べられた複数の冷蔵オープンショーケース１０のうち、幅方向中央部側に位置する冷蔵オープンショーケース１０の冷凍機２０の流出口２３ｂに、流通方向変更板２３ｄが設けたものを示したが、第３実施形態において、冷凍機２０の流出口２３ｂに流通方向変更板２３ｄを設けてもよい。
【００７０】
また、前記実施形態では、ケーシング２３内における凝縮器２１に隣接する位置に凝縮器用送風機２２を配置したものを示したが、これに限られるものではない。凝縮器用送風機２２は、ケーシング２３内における流出口２３ｂの近傍に配置してもよい。この場合に、凝縮器用送風機２２は、凝縮器２１及びドレン水蒸発処理機構２４の蒸発促進部材２４ｂを通過する空気を吸引する。
【符号の説明】
【００７１】
１…店舗、１０…冷蔵オープンショーケース、２０…冷凍機、２２…凝縮器用送風機、２３ａ…流入口、２３ｂ…流出口、２３ｃ…ガイド板、２３ｄ…流通方向変更板、３０…主空調機、４０…冷凍機用空調機、４２…吹出口、４４…ダクト、５０…コントローラ、５２…店内温度センサ、５３…冷凍機排気温度センサ。
【図１】
2020098084.tif 000003
【図２】
2020098084.tif 000004
【図３】
2020098084.tif 000005
【図４】
2020098084.tif 000006
【図５】
2020098084.tif 000007
【図６】
2020098084.tif 000008